(57)【要約】      （修正有）【課題】親綱支柱に対して、親綱が強く引っ張られた場合でも、ボルト止め部の近傍に大きな負荷が加わることを防止して、補強用中子なしに、親綱支柱の下端部が不本意にへこんだり屈曲したりすることがなく、親綱支柱が挟着治具にしっかりと連結している状態を保つことができる。特に、人が落下した場合でも安全帯に掛かる力が弱まり、人体に対する衝撃が非常に少なく安全である。【解決手段】パイプ材からなる親綱支柱２２と、開口部２４において被取付け体に挟着固定され、対向状に配置した一対の取付け片３１，３１を上方突出状に連設した挟着治具２３とからなり、両取付け片３１，３１と親綱支柱２２とを締結部材によって締結する親綱支柱２２であり、親綱支柱２２の上端にコイルバネ３４を介して親綱の掛着用リング３３を設けた。【選択図】図１
2011052456.tif 000002
【特許請求の範囲】
【請求項１】
パイプ材からなる親綱支柱と、開口部において被取付け体に挟着固定され、対向状に配置した一対の取付け片を上方突出状に連設した挟着治具とからなり、前記両取付け片と親綱支柱とを締結部材によって締結する親綱支柱であり、親綱支柱の上端にバネ体を介して親綱の掛着部を設けたことを特徴とすれる親綱支柱。
【請求項２】
バネ体は縦方向に渦巻くコイルバネであり、親綱の掛着部は縦向きのリングとして、このコイルバネの構成線材の延長として形成する請求項１記載の親綱支柱。
【発明の詳細な説明】
【技術分野】
【０００１】
本発明は、建設工事の安全用仮設具として、親綱を掛け渡すために使用する親綱支柱に関するものである。
【背景技術】
【０００２】
例えば、建築作業や土木作業時に組み立てられる仮設足場の足場板や梁鉄骨には、親綱支柱が上方突出状に取り付けられることがある。
【０００３】
親綱支柱には、枠組足場に取付けるものなどもあるが、梁鉄骨に取り付けるものとして、例えば、下記特許文献１の図４に示すようなものがある。
【特許文献１】実開平５−５２１１９号公報
【０００４】
これは図９に示すように柱本体１は矩形の金属製パイプによるもので、上端に、環体で構成した親綱の掛着部２を形成し、鉄骨フランジを挟込むための横向き開口４と、この開口４内に貫通突出して上下に移動する圧着ネジ５からなるコ字型の固定部３を前記支柱本体１の下端に設けている。
【０００５】
図示は省略するが、開口４に梁鉄骨の上フランジを差し入れ、圧着ネジ５端をこの上フランジに押圧して支柱全体を固定する。このようにして、親綱支柱は梁鉄骨から立設するので、掛着部２に親綱の端を結び、親綱支柱間に親綱を掛け渡す。図中６は、この親綱支柱を運搬する際に使用する把手である。
【０００６】
前記図５に示す親綱支柱では固定部３は支柱本体１に直接形成するものなので、どこか一部が破損したり、変形したりすると全体に支障をきたすことになり、すべてを新品に交換するのでは非常にコスト高になる。
【０００７】
そこで前記特許文献１では、部分的に交換可能で補修費等が低廉であり、しかも、組立てた状態においては堅固で、高強度を保つことができるものとして図６  に示すような親綱支柱を提案している。
【０００８】
金属製パイプ材からなるもので、その上端には親綱Ａの掛着部１１１が設けられている。一方、下端には、親綱支柱Ａを梁鉄骨１０１の鉄骨フランジ部１０１ａに固定するための断面Ｃ字状の金属製挟着治具１２０が、ボルト止め１３０によって取り付けられている。
【０００９】
そして、この金属製挟着治具１２０を鉄骨フランジ部１０１ａに挟着固定することにより、同図（ｂ）及び（ｃ）に示すように、親綱支柱Ａを鉄骨フランジ部１０１ａに上方突出状に取り付けることができるようになっている。なお、同図（ｃ）において１３１は、ボルト止め用のボルト１３０の挿通孔を示している。
【００１０】
さらに、下記特許文献２では、前記図６に示す親綱支柱に対して、親綱Ａを引っ張ると、ボルト止め部の近傍に大きな負荷が加わることから、この負荷によっても親綱支柱を構成しているパイプ材が、ボルト止め部の近傍においてへこみ易いとして、親綱支柱が足場板や梁鉄骨等の被取付け体に挟着治具を介して取り付けられている親綱支柱の取付け構造であって、親綱支柱がパイプ材から構成されている場合であっても、該親綱支柱が挟着治具にしっかりと連結されている親綱支柱の取付け構造を提供することを目的としている。
【特許文献２】特開２０００−３４８３８号公報
【００１１】
この特許文献２は、図７に示すように、パイプ材からなる親綱支柱７が挟着治具８を介して被取付け体９に上方突出状に取り付けられている親綱支柱の取付け構造であって、前記挟着治具８は、断面Ｃ字状に形成されるとともにその開口部１０において前記被取付け体９に挟着固定され、かつ前記挟着治具８には、対向状に配置された一対の取付け片１１，１１が上方突出状に連設される一方、前記親綱支柱７の下端部の中空部７ａ内には、補強用中子１２が嵌入されており、前記両取付け片１１，１１間に前記親綱支柱７の下端部が嵌入されるとともに、前記補強用中子１２の下端部が前記挟着治具８に凹凸嵌合１３，１４によって連結され、この状態で、前記両取付け片１１，１１と親綱支柱７と補強用中子１２とが、締結部材１５，１６によって締結されている。
【００１２】
前記補強用中子１２は、両取付け片と親綱支柱と補強用中子とが締結された状態において、これが、親綱支柱の下端部の中空部内に嵌入されているので、親綱支柱の下端部がこの補強用中子によって補強される。
【００１３】
しかも、この補強用中子の下端部が挟着治具に凹凸嵌合によって連結されていることから、親綱支柱は、この補強用中子と両取付け片とを介して挟着治具に連結され、親綱支柱が挟着治具にしっかりと連結している。
【発明の開示】
【発明が解決しようとする課題】
【００１４】
前記特許文献２では、パイプ材からなる親綱支柱が挟着治具を介して被取付け体に上方突出状に取り付けられている親綱支柱において、親綱支柱に対して、親綱を引っ張ると、ボルト止め部の近傍に大きな負荷が加わることから、この負荷によっても親綱支柱を構成しているパイプ材が、ボルト止め部の近傍においてへこみ易いことの対策と、親綱支柱が挟着治具にしっかりと連結するのに、補強用中子を必要としている。
【００１５】
このような補強用中子を必要とするのでは、部品点数が増し、コスト高になるとともに、構造が複雑であり、組み立てにも手間を要する。
【００１６】
また、補強用中子により親綱支柱を構成しているパイプ材の下部においてのみ保護が可能であり、親綱支柱が曲がったり、ゆがんだりすることは防げない。
【００１７】
本発明の目的前記従来例の不都合を解消し、親綱支柱に対して、親綱が強く引っ張られた場合でも、親綱支柱全体に大きな負荷が加わることを防止して、親綱支柱の曲がりや変形を防ぎ、かつ、補強用中子なしに、親綱支柱の下端部が不本意にへこんだり屈曲したりすることがなく、親綱支柱が挟着治具にしっかりと連結している状態を保つことができ、特に、人が落下した場合でも安全帯に掛かる力が弱まり、人体に対する衝撃が非常に少なく安全である親綱支柱を提供することにある。
【課題を解決するための手段】
【００１８】
前記目的を達成するため、請求項１記載の本発明は、パイプ材からなる親綱支柱と、開口部において被取付け体に挟着固定され、対向状に配置した一対の取付け片を上方突出状に連設した挟着治具とからなり、前記両取付け片と親綱支柱とを締結部材によって締結する親綱支柱であり、親綱支柱の上端にバネ体を介して親綱の掛着部を設けたことを要旨とするものである。
【００１９】
請求項１記載の本発明によれば、親綱が挿通する親綱の掛着部はバネ体を介して親綱支柱の上端に設けたので、親綱が強く引っ張られた場合でも、バネ体が弾性変形してその衝撃を緩和し、親綱支柱下端のボルト止め部の近傍に大きな負荷が加わることを防止できる。
【００２０】
請求項２記載の本発明は、バネ体は縦方向に渦巻くコイルバネであり、親綱の掛着部は縦向きのリングとして、このコイルバネの構成線材の延長として形成することを要旨とするものである。
【００２１】
請求項２記載の本発明によれば、バネ体は縦方向に渦巻くコイルバネとすることで、渦巻の段数や大きさでバネ体の弾性支持力や親綱の掛着用リングの支承高さを自由に設定できる。また、このコイルバネの構成線材の延長として親綱の掛着用リングを形成することで、バネ体と親綱の掛着用リングを別部材として形成しなくともよく、溶接等の手間もいらない。
【発明の効果】
【００２２】
以上述べたように本発明の親綱支柱は、親綱支柱に対して、親綱が強く引っ張られた場合でも、親綱支柱全体に大きな負荷が加わることを防止して、親綱支柱の曲がりや変形を防ぎ、かつ、補強用中子なしに、親綱支柱の下端部が不本意にへこんだり屈曲したりすることがなく、親綱支柱が挟着治具にしっかりと連結している状態を保つことができるものである。また、特に、人が落下した場合でも安全帯に掛かる力が弱まり、人体に対する衝撃が非常に少なく安全である。
【発明を実施するための最良の形態】
【００２３】
以下、本発明の実施形態を詳細に説明する。図１は本発明の親綱支柱の１実施形態を示す側面図、図２は同上正面図、図３は横断平面図、図４は取り付けた状態を示す正面図である。
【００２４】
図１において、２１ａは梁鉄骨２１の鉄骨フランジ部で、水平に配置されている。そして、この鉄骨フランジ部２１ａに、親綱支柱２２を挟着治具２３を介して上方突出状に取り付ける。
【００２５】
この親綱支柱２２は、アルミニウム合金による６０角パイプ程度押出形材製の例えば、６０角パイプ程度角パイプ材からなるもので、この親綱支柱２２の長さは、例えば７８２ｍｍ程度である。
【００２６】
前記挟着治具２３は、前記親綱支柱２２を鉄骨フランジ部２１ａに取り外し自在に取り付けるためのもので、断面略Ｃ字状に形成されるとともに、その開口部２４において鉄骨フランジ部２１ａを挟着する。
【００２７】
この挟着治具２３は、アルミニウム合金の押出形材製で、この押出形材は、図１に示すように、押出方向つまり幅方向に貫通した複数個の断面略矩形状の中空部２５を有するとともに、これら中空部２５が所定位置に形成されることによって区画リブにより連結補強されているものである。
【００２８】
このように、この挟着治具２３は、リブによる中空区画構造を有する押出形材からなるので、軽量でかつ堅牢なものとなっている。しかも、押出形材がアルミニウムからなるので、極めて軽量なものとなっている。
【００２９】
また、図２に示すように、この挟着治具２３の上顎部２６には、２本の押さえボルト２７，２７を該上顎部２６を上下方向に貫通して幅方向に並んで取り付ける。
【００３０】
これら２本の押さえボルト２７，２７は、前記上顎部２６に設けたネジ孔に螺合させる。
【００３１】
挟着治具２３は、これら押さえボルト２７，２７を回転させて該押さえボルト２７、２７を下方に移動させることにより、前記開口部２４に嵌め込まれた鉄骨フランジ部２１ａを下顎部２８の上面に強く押し付け、これにより該鉄骨フランジ部２１ａを挟着する。
【００３２】
押さえボルト２７，２７の上端には回動用のピン挿入孔２７ａを形成し、下端には湾曲板による押え板２７ｂを水平方向に回転可能に取り付けた。
【００３３】
また、前記下顎部２８の上面には、幅方向に延びる滑り止め用の複数の凹凸条２９を形成する。
【００３４】
なお、図２において３０，３０は、前記上顎部２６に穿設された前記押さえボルト２７、２７用の挿通孔である。
【００３５】
さらに、この挟着治具２３の上端部には、前後に対向した幅方向に延びる一対の取付け片３１，３１を上方突出状に連設した。
【００３６】
これら両取付け片３１，３１は、挟着治具２３の開口部２４の反対側に、つまり挟着治具２３の背面側に、これら両取付け片３１，３１間に嵌入される親綱支柱２２を支承するものとなる。
【００３７】
また、前記両取付け片３１，３１と前記親綱支柱２２とが、上げ２段の止めボルト３２，３２によって締結される。すなわち、前記両取付け片３１，３１には、止めボルト３２，３２のボルト挿通孔が穿設されている。
【００３８】
親綱支柱２２の上端には、バネ体を介して親綱の掛着部を設ける。
【００３９】
この親綱の掛着部としては、本実施形態では縦向きの掛着用リング３３としたが、特にこれに限定されるものではなく、前記特許文献１に示すような水平鍔体を左右に突設し、この水平鍔体に挿通孔を近接して２つ並べて設けたものなどでもよい。
【００４０】
また、前記バネ体は本実施形態では、縦方向に渦巻くコイルバネ３４であり、前記親綱の掛着用リング３３はこのコイルバネ３４の構成線材の延長として形成した。
【００４１】
該親綱の掛着用リング３３は端に隙間を確保し、ここから親綱を差し入れるようにしてもよい。
【００４２】
親綱支柱２２の上端には、角パイプ材の開口を閉塞するコ字状の端板３５がネジ３６，３６により取り付けられるとともに、この端板３５の上面に前記コイルバネ３４がボルト３７で止められて立設される。
【００４３】
以上の構造において、図４に示すように親綱支柱２２は、挟着治具２３を介して立設され、背面側に形成した両取付け片３１，３１間に嵌入されているから、梁鉄骨２１の幅方向の外側に位置状態となっている。そのため、この親綱支柱２２が、幅の狭い梁鉄骨２１を通路とするあるいは作業場とする作業者の歩行や作業の障害とはならず、したがってこの取付け構造によれば、作業者が梁鉄骨２１上を支障なく歩行することができるし、梁鉄骨２１上で支障なく作業することができるという利点を有する。
【００４４】
また、親綱Ａは、親綱の掛着用リング３３に端部のフック（カラビナ）３８を掛着させて取り付ける。図中３９は親綱Ａを張る緊張器である。
【００４５】
親綱の掛着用リング３３はコイルバネ３４を介して親綱支柱の上端に立設するので、人が落下して親綱Ａが強く引っ張られた場合でも、コイルバネ３４が弾性変形してその衝撃を緩和し、安全帯に掛かる力が弱まり、人体に対する衝撃が非常に少なく安全である。同に、親綱支柱２２下端の止めボルト３２，３２の近傍に大きな負荷が加わることを防止できる。
【００４６】
而して、図１において、鉄骨フランジ部２１ａに挟着固定された挟着治具２３を鉄骨フランジ部２１ａから取り外す場合には、押さえボルト２７，２７を回転させて該押さえボルト２７，２７を上方に移動させる。
【００４７】
これにより挟着治具２３の鉄骨フランジ部２１ａへの挟着が解除されて、挟着治具２３を鉄骨フランジ部２１ａから取り外すことができる。
【００４８】
また、親綱支柱２２を挟着治具２３に組み付ける場合は親綱支柱２２の下端部を両取付け片３１，３１間に向かって幅方向にスライドさせれば、親綱支柱２２の下端部が両取付け片３１，３１間にぴったりと嵌入される。
【００４９】
次いで、止めボルト３２，３２をボルト挿通孔に挿通し、該止めボルト３２，３２にナットを螺合させるより、両取付け片３１，３１と親綱支柱２２とが強固に締結される。
【００５０】
一方、親綱支柱２２を挟着治具２３から取り外す場合には、この組付け作業を逆に行えば良く、ナットを外して止めボルト３２，３２を引き抜き、両取付け片３１，３１と親綱支柱２２との締結を解除する。
【００５１】
こうして親綱支柱２２を挟着治具２３から取り外すことができ、このため親綱支柱２２と挟着治具２３とを別々に保管することができる。
【００５２】
図５〜図８は他の実施形態を示すものである。図５、図６は前記実施形態と同じくコイルバネ３４を用いるが、このコイルバネ３４の構成線材の延長として形成した親綱の掛着用リング３３の形状が相違する。
【００５３】
図５は、掛着用リング３３が逆Ｕ字形の場合、図６は端部が開く輪体の場合である。また、図５は、角パイプ材の開口を閉塞する端板３５が平板であり、溶接により取り付けられる点が相違する。
【００５４】
図７は、コイルバネではなく、板バネ４０を用いる場合であり、この板バネ４０の上端のひねりの板４１に穴をあけて掛着用リング３３とした。
【００５５】
図８は、親綱支柱２２の上端ではあるが、２枚の並行する板バネ４３で別体としての頭部２２′をつなぎ、掛着用リング３３をこの頭部２２′に設けたものである。
【図面の簡単な説明】
【００５６】
【図１】本発明の親綱支柱の１実施形態を示す側面図である。
【図２】本発明の親綱支柱の１実施形態を示す正面図である。
【図３】本発明の親綱支柱の１実施形態を示す横断平面図である。
【図４】本発明の親綱支柱の取り付けた状態を示す正面図である。
【図５】本発明の親綱支柱の第２実施形態を示す説明図である。
【図６】本発明の親綱支柱の第３実施形態を示す説明図である。
【図７】本発明の親綱支柱の第４実施形態を示す説明図である。
【図８】本発明の親綱支柱の第４実施形態を示す説明図である。
【図９】親綱支柱の１例を示す斜視図である。
【図１０】従来例を示す斜視図である。
【図１１】他の従来例を示す要部の縦断側面図である。
【符号の説明】
【００５７】
１…支柱本体                        ２…親綱の掛着部
３…コ字型の固定部                  ４…開口
５…圧着ネジ                        ６…把手
７…親綱支柱                        ７ａ…中空部
８…挟着治具                        ９…被取付け体
１０…開口部                        １１，１１…取付け片
１２…補強用中子                    １３，１４…凹凸嵌合
１５，１６…締結部材
２１…梁鉄骨                        ２１ａ…鉄骨フランジ部
２２…親綱支柱                      ２２′…頭部  
２３…挟着治具
２４…開口部                        ２５…中空部
２６…上顎部                        ２７…押さえボルト
２７ａ…ピン挿入孔                  ２７ｂ…押え板
２８…下顎部                        ２９…凹凸条
３０…挿通孔                        ３１…取付け片
３２…止めボルト                    ３３…親綱の掛着用リング
３４…コイルバネ                    ３５…端板
３６…ネジ                          ３７…ボルト
３８…フック                        ３９…緊張器
４０…板バネ                        ４１…ひねりの板
１０１…梁鉄骨                      １０１ａ…鉄骨フランジ部
１１１…掛着部                      １２０…金属製挟着治具
１３０…ボルト止め                  １３１…挿通孔
【図１】
2011052456.tif 000003
【図２】
2011052456.tif 000004
【図３】
2011052456.tif 000005
【図４】
2011052456.tif 000006
【図５】
2011052456.tif 000007
【図６】
2011052456.tif 000008
【図７】
2011052456.tif 000009
【図８】
2011052456.tif 000010
【図９】
2011052456.tif 000011
【図１０】
2011052456.tif 000012
【図１１】
2011052456.tif 000013